(57)【要約】【課題】鮮明な眼底画像を取得できるようにする。【解決手段】本発明における対物レンズ３は、角膜２０や水晶体２３の屈折機能を打ち消すような働きをするので、入射される光Ｌ１は角膜２０等にてほとんど屈折されることなく眼底２１に到達し、眼底２１からの反射光Ｌ２も角膜２０等にてほとんど屈折されることなく出射される。その結果、入射光Ｌ１や反射光Ｌ２が通過する空間領域Ｅ１は前記対物レンズ３を配置しない場合に比べて広いものとなる。したがって、本発明によれば、光源４や結像レンズ５を互いに干渉し合わない最適位置に配置することが可能となり、眼底２１の全体に照明光Ｌ１を十分に当てて反射光Ｌ２を十分に受光することが可能となって、鮮明な眼底画像を取得することが可能となる。【選択図】図１
2014171489.tif 000002
【特許請求の範囲】
【請求項１】
被検眼の角膜に対向するように配置され得る対物レンズと、該対物レンズを介して前記被検眼の眼底に照明光を照射し得る光源と、前記角膜との間に前記対物レンズが位置するように配置されて前記眼底からの反射光が透過され得る結像レンズと、該結像レンズにおける前記対物レンズと対向する側と反対の側に配置されると共に前記結像レンズによって眼底画像が結像される受光素子と、を備えて眼底画像を取得するように構成された眼底画像取得装置において、
前記対物レンズにおける前記角膜に対向し得る側の面を“対物レンズ正面”とし、該対物レンズ正面とは反対側の面であって前記結像レンズに対向する側の面を“対物レンズ背面”とし、該対物レンズの光軸を“対物レンズ光軸”とした場合に、
前記対物レンズは、前記対物レンズ正面に入射されて前記対物レンズ背面から出射される前記反射光の内の少なくとも一部の光線が、前記対物レンズ光軸から離れる方向に進行するように構成されたレンズであり、
前記対物レンズ正面に入射されて前記対物レンズ背面から出射された前記反射光が進行する空間領域を“光通過領域”とした場合に、
前記光源は、少なくとも一部の照明光が該光通過領域及び前記対物レンズを通って前記被検眼の眼底に照射され得る位置に配置され、
前記結像レンズは、前記対物レンズを通過し前記光通過領域を進行してきた反射光の少なくとも一部が透過され得る位置に配置された、
ことを特徴とする眼底画像取得装置。
【請求項２】
前記対物レンズ正面は、被検眼の角膜の表面に接触或いは近接し得るような凹面である、
ことを特徴とする請求項１に記載の眼底画像取得装置。
【請求項３】
前記対物レンズ正面には透明なジェルが塗布され、
前記対物レンズを前記被検眼に押し当てた場合に、該対物レンズ正面と前記被検眼との間に該ジェルが介在されるようにした、
ことを特徴とする請求項２に記載の眼底画像取得装置。
【請求項４】
前記対物レンズは、前記照明光及び前記反射光が前記被検眼との間の界面を通過する際にほぼ屈折しないような材質であり、
前記光源から出射された照明光の少なくとも一部はほぼ屈折せずに前記眼底に到達し、かつ、該眼底にて反射されてほぼ屈折せずに前記結像レンズに到達し得るように構成された、
ことを特徴とする請求項２又は３に記載の眼底画像取得装置。
【請求項５】
前記受光素子の光出射側に接眼レンズが配置されて、前記眼底の様子を観察できるように構成された、
ことを特徴とする請求項１乃至４のいずれか１項に記載の眼底画像取得装置。
【請求項６】
前記受光素子は、眼底画像を撮影可能な撮像素子である、
ことを特徴とする請求項１乃至４のいずれか１項に記載の眼底画像取得装置。
【請求項７】
前記光源から出射される照明光の中心軸を“照明光軸”とし、前記結像レンズを通過する前記反射光の中心軸を“反射光軸”とした場合に、
該照明光軸と該反射光軸と前記対物レンズ光軸とが１つの面内に含まれ、かつ該照明光軸と該対物レンズ光軸との為す角と該反射光軸と該対物レンズ光軸との為す角とがほぼ等しくなるように前記光源と前記対物レンズと前記結像レンズとが配置されてなる、
ことを特徴とする請求項１乃至６のいずれか１項に記載の眼底画像取得装置。
【請求項８】
前記照明光軸と前記反射光軸と前記対物レンズ光軸とが前記眼底上又は該眼底に近接する位置で交差するように前記光源と前記対物レンズとが配置された、
ことを特徴とする請求項７に記載の眼底画像取得装置。
【請求項９】
前記結像レンズ及び前記受光素子は、前記反射光軸を通ると共に前記対物レンズ光軸と為す角度がほぼ直角となるように配置された、
ことを特徴とする請求項７又は８に記載の眼底画像取得装置。
【請求項１０】
前記受光素子は前記対物レンズ光軸に沿って移動可能となるように構成され、
該受光素子を該対物レンズ光軸に沿って移動させることにより眼底画像のピント合わせを行うようにした、
ことを特徴とする請求項９に記載の眼底画像取得装置。
【請求項１１】
前記被検眼の瞳孔中の領域であって前記光源から出射された照明光が通過する領域を“第１の領域”とし、前記被検眼の瞳孔中の領域であって前記眼底にて反射されて前記結像レンズに入射される光が通過する領域を“第２の領域”とした場合に、
前記光源と前記対物レンズ背面との間に第１の絞り部を配置して該光源から出射された照明光の光束径を規制すると共に、前記対物レンズ背面と前記結像レンズとの間に第２の絞り部を配置して該結像レンズに入射される光の光束径を規制することにより、前記第１の領域と前記第２の領域とがほとんど重ならないようにすると共に、前記光源からの照明光が前記被検眼の虹彩にほとんど当たらないようにした、
ことを特徴とする請求項１乃至１０のいずれか１項に記載の眼底画像取得装置。
【発明の詳細な説明】
【技術分野】
【０００１】
本発明は、眼底画像を取得するように構成された眼底画像取得装置に関する。
【背景技術】
【０００２】
従来、被検眼の眼底に光を照射して眼底画像を取得する眼底画像取得装置としては、眼底カメラや検眼鏡などが知られている（例えば、特許文献１参照）。
【０００３】
図６は、眼底画像取得装置の従来構造及び使用状態の一例を示す断面図であり、符号１０４は、被検眼２の眼底２１に向けて照明光Ｌ１を出射する光源（照明用のＬＥＤ）を示し、符号１０６は、眼底画像を取得する受光素子を示し、符号１０５は、前記眼底２１からの反射光Ｌ２を受けて前記受光素子１０６に眼底画像を結像する結像レンズを示している。前記光源１０４から出射された照明光Ｌ１は、被検眼２の眼底２１にて反射され、その反射光Ｌ２は、前記結像レンズ１０５を通って受光素子１０６に入射され、眼底画像が取得されることとなる。
【０００４】
ところで、通常の被検眼においては、図７に例示するように、無限遠からの平行な入射光Ｌ１は角膜２０及び水晶体２３を通過する際に屈折されて眼底（網膜）２１に収束するようになっており、眼底２１にて反射された光は水晶体２３及び角膜２０を通過する際に屈折されて平行に出射されることとなる。つまり、瞳孔Ａに正対する狭い領域（つまり、瞳孔径を直径とする略円柱状の空間領域であり、以下“瞳孔前空間領域”とする）Ｅ０を通過する光Ｌ１のみが前記眼底２１に到達し、該眼底２１から反射された光Ｌ２は該瞳孔前空間領域Ｅ０を通過することとなる。したがって、図６に示す眼底画像取得装置１０１の場合、前記照明光Ｌ１が該瞳孔前空間領域Ｅ０を適正に通過するように前記光源１０４を配置する必要があり、前記瞳孔前空間領域Ｅ０を通過する前記反射光Ｌ２を適正に受光できるように前記結像レンズ１０５及び前記受光素子１０６を配置する必要があった。
【先行技術文献】
【特許文献】
【０００５】
【特許文献１】特許第３６２８３９６号公報
【発明の概要】
【発明が解決しようとする課題】
【０００６】
しかしながら、上述した瞳孔前空間領域Ｅ０は直径が３〜６ｍｍ程度の極めて細径の空間であるため、光源１０４や結像レンズ１０５等の全てを適正位置に配置することがスペース的に非常に困難であり、結像レンズ１０５や受光素子１０６を最適な位置に配置した場合には光源１０４の位置が不適正となって眼底２１の全体に光が十分に当たらないというおそれがあり、光源１０４を最適な位置に配置した場合には結像レンズ１０５や受光素子１０６の位置が不適正になって該受光素子１０６が反射光Ｌ２を十分に受光することが困難となって不鮮明な眼底画像しか取得できないというおそれがあった。
【０００７】
本発明は、上述の問題を解消することのできる眼底画像取得装置を提供することを目的とするものである。
【課題を解決するための手段】
【０００８】
請求項１に係る発明は、図１に例示するものであって、被検眼（２）の角膜（２０）に対向するように配置され得る対物レンズ（３）と、該対物レンズ（３）を介して前記被検眼（２）の眼底（２１）に照明光（Ｌ１）を照射し得る光源（４）と、前記角膜（２０）との間に前記対物レンズ（３）が位置するように配置されて前記眼底（２１）からの反射光（Ｌ２）が透過され得る結像レンズ（５）と、該結像レンズ（５）における前記対物レンズ（３）と対向する側と反対の側（図示右側）に配置されると共に前記結像レンズ（５）によって眼底画像が結像される受光素子（６）と、を備えて眼底画像を取得するように構成された眼底画像取得装置（１）において、
前記対物レンズ（３）における前記角膜（２０）に対向し得る側の面（３０）を“対物レンズ正面”とし、該対物レンズ正面（３０）とは反対側の面であって前記結像レンズ（５）に対向する側の面（３１）を“対物レンズ背面”とし、該対物レンズ（３）の光軸（Ｃ０）を“対物レンズ光軸”とした場合に、
前記対物レンズ（３）は、前記対物レンズ正面（３０）に入射されて前記対物レンズ背面（３１）から出射される前記反射光（Ｌ２）の内の少なくとも一部の光線が、前記対物レンズ光軸（Ｃ０）から離れる方向に進行するように構成されたレンズであり、
前記対物レンズ正面（３０）に入射されて前記対物レンズ背面（３１）から出射された前記反射光（Ｌ２）が進行する空間領域（図２の符号Ｅ１参照）を“光通過領域”とした場合に、
前記光源（４）は、少なくとも一部の照明光（Ｌ１）が該光通過領域（Ｅ１）及び前記対物レンズ（３）を通って前記被検眼（２）の眼底（２１）に照射され得る位置に配置され、
前記結像レンズ（５）は、前記対物レンズ（３）を通過し前記光通過領域（Ｅ１）を進行してきた反射光（Ｌ２）の少なくとも一部が透過され得る位置に配置されたことを特徴とする。
【０００９】
請求項２に係る発明は、請求項１に係る発明において、前記対物レンズ正面（３０）が、被検眼（２）の角膜（２０）の表面に接触或いは近接し得るような凹面であることを特徴とする。
【００１０】
請求項３に係る発明は、請求項２に係る発明において、前記対物レンズ正面（３０）には透明なジェル（不図示）が塗布され、
前記対物レンズ（３）を前記被検眼（２）に押し当てた場合に、該対物レンズ正面（３０）と前記被検眼（２）との間に該ジェルが介在されるようにしたことを特徴とする。
【００１１】
請求項４に係る発明は、請求項２又は３に記載の発明において、前記対物レンズ（３）は、前記照明光（Ｌ１）及び前記反射光（Ｌ２）が前記被検眼（２）との間の界面を通過する際にほぼ屈折しないような材質であり、
前記光源（４）から出射された照明光（Ｌ１）の少なくとも一部はほぼ屈折せずに前記眼底（２１）に到達し、かつ、該眼底（２１）にて反射されてほぼ屈折せずに前記結像レンズ（５）に到達し得るように構成されたことを特徴とする。
【００１２】
請求項５に係る発明は、請求項１乃至４のいずれか１項に記載の発明において、前記受光素子（６）の光出射側に接眼レンズ（不図示）が配置されて、前記眼底（２１）の様子を観察できるように構成されたことを特徴とする。
【００１３】
請求項６に係る発明は、請求項１乃至４のいずれか１項に記載の発明において、前記受光素子（６）は、眼底画像を撮影可能な撮像素子であることを特徴とする。
【００１４】
請求項７に係る発明は、請求項１乃至６のいずれか１項に記載の発明において、前記光源（４）から出射される照明光（Ｌ１）の中心軸（Ｃ１）を“照明光軸”とし、前記結像レンズ（５）を通過する前記反射光（Ｌ２）の中心軸（Ｃ２）を“反射光軸”とした場合に、該照明光軸（Ｃ１）と該反射光軸（Ｃ２）と前記対物レンズ光軸（Ｃ０）とが１つの面内に含まれ、かつ該照明光軸（Ｃ１）と該対物レンズ光軸（Ｃ０）との為す角（θ１）と該反射光軸（Ｃ２）と該対物レンズ光軸（Ｃ０）との為す角（θ２）とがほぼ等しくなるように前記光源（４）と前記対物レンズ（３）と前記結像レンズ（５）とが配置されてなることを特徴とする。
【００１５】
請求項８に係る発明は、請求項７に係る発明において、前記照明光軸（Ｃ１）と前記反射光軸（Ｃ２）と前記対物レンズ光軸（Ｃ０）とが前記眼底（２１）上又は該眼底（２１）に近接する位置で交差するように前記光源（４）と前記対物レンズ（３）とが配置されたことを特徴とする。
【００１６】
請求項９に係る発明は、請求項７又は８に記載の発明において、前記結像レンズ（５）及び前記受光素子（６）は、前記反射光軸（Ｃ２）を通ると共に前記対物レンズ光軸（Ｃ０）と為す角度がほぼ直角となるように配置されたことを特徴とする。
【００１７】
請求項１０に係る発明は、請求項９に係る発明において、前記受光素子（６）は前記対物レンズ光軸（Ｃ０）に沿って移動可能となるように構成され（図１の矢印Ｆ参照）、
該受光素子（６）を該対物レンズ光軸（Ｃ０）に沿って移動させることにより眼底画像のピント合わせを行うようにしたことを特徴とする。
【００１８】
請求項１１に係る発明は、請求項１乃至１０のいずれか１項に記載の発明において、前記被検眼（２）の瞳孔（図４中の符号Ａ参照）中の領域であって前記光源（４）から出射された照明光（Ｌ１）が通過する領域（Ａ１）を“第１の領域”とし、前記被検眼（２）の瞳孔（Ａ）中の領域であって前記眼底（２１）にて反射されて前記結像レンズ（５）に入射される光（Ｌ２）が通過する領域（Ａ２）を“第２の領域”とした場合に、
前記光源（４）と前記対物レンズ背面（３１）との間に第１の絞り部（Ｄ１）を配置して該光源（４）から出射された照明光（Ｌ１）の光束径を規制すると共に、前記対物レンズ背面（３１）と前記結像レンズ（５）との間に第２の絞り部（Ｄ２）を配置して該結像レンズ（５）に入射される光の光束径を規制することにより、前記第１の領域（Ａ１）と前記第２の領域（Ａ２）とがほとんど重ならないようにすると共に、前記光源（４）からの照明光（Ｌ１）が前記被検眼（２）の虹彩（２２）にほとんど当たらないようにしたことを特徴とする。
【００１９】
なお、括弧内の番号などは、図面における対応する要素を示す便宜的なものであり、従って、本記述は図面上の記載に限定拘束されるものではない。
【発明の効果】
【００２０】
請求項１及び４乃至８に係る発明によれば、前記光源や前記結像レンズを互いに干渉し合わない最適位置に配置することが可能となり、眼底の全体に照明光を十分に当てて反射光を十分に受光することが可能となって、鮮明な眼底画像を取得することが可能となる。
【００２１】
請求項２及び３に係る発明によれば、撮影や観察の際に被検眼を静止させることが困難な乳幼児に使用でき、鮮明な眼底画像を取得することが可能となる。
【００２２】
請求項９及び１０に係る発明によれば、前記対物レンズ光軸に直交する方向の装置寸法を必要最小限に小さくすることができ、装置のコンパクト化を図ることができる。
【００２３】
請求項１１に係る発明によれば、前記第１の領域と前記第２の領域とがほとんど重ならず、かつ、前記光源からの照明光が前記被検眼の虹彩にほとんど当たらないように構成されているため、前記結像レンズは、虹彩や水晶体表面からの反射光をほとんど受光せずに眼底からの反射光を受光することとなり、その結果、鮮明な眼底画像を取得できる。
【図面の簡単な説明】
【００２４】
【図１】図１は、本発明に係る眼底画像取得装置の構造及び使用状態の一例を示す断面図である。
【図２】図２は、眼底からの反射光の光路等を示す断面図である。
【図３】図３は、本発明に係る眼底画像取得装置の構造及び使用状態の他の例を示す断面図である。
【図４】図４は、図１のＢ−Ｂ断面図において照明光が通過する第１の領域と反射光が通過する第２の領域との位置関係の一例を示す模式図である。
【図５】図５(a) は、本発明に係る眼底画像取得装置の構造及び使用状態の他の例を示す断面図であり、同図(b) は、２つの絞り部Ｄ１，Ｄ２を形成した１枚の円板状部材の形状を示す正面図である。
【図６】図６は、眼底画像取得装置の従来構造及び使用状態の一例を示す断面図である。
【図７】図７は、眼底への照明光や眼底からの反射光の光路等を示す断面図である。
【発明を実施するための形態】
【００２５】
以下、図１乃至５に沿って、本発明の実施の形態について説明する。
【００２６】
本発明に係る眼底画像取得装置は、図１に符号１で例示するものであって、
・  被検眼２の角膜２０に対向するように配置され得る対物レンズ３と、
・  該対物レンズ３を介して前記被検眼２の眼底２１に照明光Ｌ１を照射し得る光源４と、
・  前記角膜２０との間に前記対物レンズ３が位置するように配置されて前記眼底２１からの反射光Ｌ２が透過され得る結像レンズ５と、
・  該結像レンズ５における前記対物レンズ３と対向する側と反対の側（図１の右側）に配置されると共に前記結像レンズ５によって眼底画像が結像される受光素子６と、
を備えたものであって、眼底画像を取得できるように構成されている。
【００２７】
そして、前記対物レンズ３における前記角膜２０に対向し得る側の面３０を“対物レンズ正面”とし、該対物レンズ正面３０とは反対側の面３１であって前記結像レンズ５に対向する側の面３１を“対物レンズ背面”とし、該対物レンズ３の光軸Ｃ０を“対物レンズ光軸”とした場合に、前記対物レンズ３は、前記対物レンズ正面３０に入射されて前記対物レンズ背面３１から出射される前記反射光Ｌ２の内の少なくとも一部の光線が、前記対物レンズ光軸Ｃ０から離れる方向に進行するように構成されたレンズ（好ましくは、平凹レンズ）であるように構成されている（図２参照）。
【００２８】
また、前記対物レンズ正面３０に入射されて前記対物レンズ背面３１から出射された全ての前記反射光Ｌ２が進行する空間領域（図１及び図２の符号Ｅ１参照）を“光通過領域”とした場合に、前記光源４は、少なくとも一部の照明光Ｌ１が該光通過領域Ｅ１及び前記対物レンズ３を通って前記被検眼２の眼底２１に照射され得る位置に配置され、前記結像レンズ５は、前記対物レンズ３を通過し前記光通過領域Ｅ１を進行してきた反射光Ｌ２の少なくとも一部が透過され得る位置に配置されている。
【００２９】
なお、図１に示す対物レンズ３は被検眼２の角膜２０に接触するように構成されているが、もちろんこれに限られるものではなく、角膜２０から離れた位置に配置するように構成されていても良い。つまり、本発明に係る眼底画像取得装置は接触型のものであっても非接触型のものであっても良い。また、非接触型の眼底画像取得装置の場合は、前記対物レンズ正面３０は凹面であっても凹面でなくても良い。
【００３０】
図７に例示したように、正常な被検眼２の角膜２０や水晶体２３は、照射される平行光Ｌ１を屈折させて眼底２１に焦点を結ばせ、また、眼底２１からの反射光Ｌ２を屈折させて平行光として出射させる屈折機能を有しているので、眼底２１に結像させるための入射光Ｌ１、及び眼底２１からの反射光Ｌ２はいずれも円柱状の空間領域Ｅ０を通過することとなり、従来においては、眼底画像を取得するための光源や結像レンズはその空間領域Ｅ０に配置する必要があった。しかし、本発明における対物レンズ３は、そのような角膜２０等の屈折機能を打ち消すような働きをするので、図２に例示するように、平行な入射光Ｌ１でなくても眼底２１上に結像され、眼底２１からの反射光Ｌ２も平行光とはならず、それらの入射光Ｌ１や反射光Ｌ２が通過する空間領域Ｅ１は円柱状の空間領域Ｅ０よりも広いものとなる。したがって、本発明によれば、前記光源４や前記結像レンズ５を互いに干渉し合わない最適位置に配置することが可能となり、眼底２１の全体に照明光Ｌ１を十分に当てて反射光Ｌ２を十分に受光することが可能となって、鮮明な眼底画像を取得することが可能となる。
【００３１】
なお、本発明に係る眼底画像取得装置１を接触型にする場合は、前記対物レンズ正面３０は、被検眼２の角膜２０の表面に接触或いは近接し得るような凹面であるようにすると良い。そのようにした場合には、撮影や観察の際に被検眼を静止させることが困難な乳幼児に使用でき、鮮明な眼底画像を取得することが可能となる。
【００３２】
その場合、前記対物レンズ正面３０には透明なジェル（不図示）を塗布しておいて、前記対物レンズ３を前記被検眼２に押し当てた場合に、該対物レンズ正面３０と前記被検眼２との間に該ジェルが介在されるようにすると良い。
【００３３】
なお、前記対物レンズ３は、前記照明光Ｌ１及び前記反射光Ｌ２が前記被検眼２との間の界面を通過する際にほぼ屈折しないような材質とし、前記光源４から出射された照明光Ｌ１の少なくとも一部はほぼ屈折せずに前記眼底２１に到達し、かつ、該眼底２１にて反射された反射光Ｌ２はほぼ屈折せずに前記結像レンズ５に到達し得るように構成しておくと良い。ここで、前記光源４から出射される照明光Ｌ１の中心軸Ｃ１を“照明光軸”とし、前記結像レンズ５を通過する前記反射光Ｌ２の中心軸を“反射光軸”とした場合に、該照明光軸Ｃ１と該反射光軸Ｃ２と前記対物レンズ光軸Ｃ０とが１つの面内に含まれ、かつ該照明光軸Ｃ１と該対物レンズ光軸Ｃ０との為す角（図１の符号θ１参照）と該反射光軸Ｃ２と該対物レンズ光軸Ｃ０との為す角（同図の符号θ２参照）とがほぼ等しくなるように前記光源４と前記対物レンズ３と前記結像レンズ５とを配置しておくと良い。また、前記照明光軸Ｃ１と前記反射光軸Ｃ２と前記対物レンズ光軸Ｃ０とが前記眼底２１上又は該眼底２１に近接する位置で交差するように前記光源４と前記対物レンズ３とを配置しておくと良い。
【００３４】
さらに、上述した受光素子６の光出射側に接眼レンズ（不図示）を配置しておいて、前記眼底２１の様子を観察できるようにしておくと良い。或いは、上述した受光素子６は、眼底画像を撮影可能な撮像素子にしておいても良い。
【００３５】
またさらに、前記結像レンズ５及び前記受光素子６は、図３に例示するように、前記反射光軸Ｃ２に対してほぼ直角となるように配置し、かつ、前記受光素子６は該反射光軸Ｃ２に沿って移動可能となるようにして眼底画像のピント合わせを行うようにすると良い（図３中の矢印Ｆ参照）。また、前記結像レンズ５及び前記受光素子６は、図１に例示するように、前記反射光軸Ｃ２を通ると共に前記対物レンズ光軸Ｃ０と為す角度がほぼ直角となるように配置しておいても良い。そして、前記受光素子６は前記対物レンズ光軸Ｃ０に沿って移動可能となるように構成しておいて、該受光素子６を該対物レンズ光軸Ｃ０に沿って移動させることにより眼底画像のピント合わせを行うようにしても良い（図１中の矢印Ｆ参照）。そのようにした場合には、該受光素子６は図示の左右方向に移動されるだけであって上下方向には移動されないので、該上下方向の装置寸法を必要最小限に小さくすることができ、装置のコンパクト化を図ることができる。
【００３６】
一方、図１及び図４に例示するように、前記被検眼２の瞳孔Ａ中の領域であって前記光源４から出射された照明光Ｌ１が通過する領域Ａ１を“第１の領域”とし、前記被検眼２の瞳孔Ａ中の領域であって前記被検眼２の眼底２１にて反射されて前記結像レンズ５に入射される光Ｌ２が通過する領域Ａ２を“第２の領域”とした場合に、前記光源４と前記対物レンズ背面３１との間に第１の絞り部（第１の開口部）Ｄ１を配置して該光源４から出射された照明光Ｌ１の光束径を規制すると共に、前記対物レンズ背面３１と前記結像レンズ５との間に第２の絞り部（第２の開口部）Ｄ２を配置して該結像レンズ５に入射される光Ｌ２の光束径を規制することにより、
・  前記第１の領域Ａ１と前記第２の領域Ａ２とがほとんど重ならず、かつ、
・  前記光源４からの照明光Ｌ１が前記被検眼２の虹彩２２にほとんど当たらない、
ように構成すると良い。つまり、前記第１の領域Ａ１と前記第２の領域Ａ２とがほとんど重ならず、かつ、前記光源４からの照明光Ｌ１が前記被検眼２の虹彩２２にほとんど当たらないようにするために、
・  前記第１の絞り部Ｄ１の開口面積
・  前記第２の絞り部Ｄ２の開口面積
・  該第１の絞り部Ｄ１と該第２の絞り部Ｄ２と前記光源４と前記結像レンズ５と前記対物レンズ３の相対的な位置関係
を適切な状態に設定すると良い。なお、前記絞り部Ｄ１，Ｄ２を前記対物レンズ背面３１に密着させておくと良い。また、上述の２つの絞り部Ｄ１，Ｄ２は、別々の部材で形成するようにしても、或いは図５(b) に示すように１つの部材（いわゆる２孔絞り板）中に形成するようにしてもどちらでも良い。さらに、絞り部Ｄ１，Ｄ２を黒色（暗色）にするか、入射光Ｌ１と反射光Ｌ２とを仕切り板等で区切るかして、被検眼２に到達する前に前記絞り部Ｄ１，Ｄ２にて反射された光Ｌ１が前記結像レンズ５の側に入り込まないようにする必要がある。
【００３７】
上述のような構成にした場合には、前記第１の領域Ａ１と前記第２の領域Ａ２とがほとんど重ならず、かつ、前記光源４らの照明光Ｌ１が前記被検眼２の虹彩２２にほとんど当たらないように構成されているため、前記結像レンズ５は、虹彩２２や水晶体表面からの反射光をほとんど受光せずに眼底２１からの反射光Ｌ２を受光することとなり、その結果、鮮明な眼底画像を取得できる。
【００３８】
この場合、前記対物レンズ３は交換可能に構成されていると良い。
【００３９】
さらに、図５(a) 中に符号７で示すように、第１の絞り部Ｄ１に対向する位置にプリズムを設けておいて、光源４からの光が該プリズム７によって屈曲されるようにしても良い。
【符号の説明】
【００４０】
１              眼底画像取得装置
２              被検眼
３              対物レンズ
４              光源
５              結像レンズ
６              受光素子
２０            角膜
２１            眼底
３０            対物レンズ正面
３１            対物レンズ背面
Ａ              瞳孔
Ａ１            第１の領域
Ａ２            第２の領域
Ｄ１            第１の絞り部
Ｄ２            第２の絞り部
Ｌ１            照明光
Ｌ２            眼底からの反射光
【図１】
2014171489.tif 000003
【図２】
2014171489.tif 000004
【図３】
2014171489.tif 000005
【図４】
2014171489.tif 000006
【図５】
2014171489.tif 000007
【図６】
2014171489.tif 000008
【図７】
2014171489.tif 000009